(57)【要約】      （修正有）【課題】必要とされるスモールセルを減らし、成功率を高めるページング方法およびページング装置を提供する。【解決手段】複数のスモールセルを介してＵＥをページングするページング方法は、ＵＥが現在登録されている第１スモールセルを特定するステップと、第１スモールセルに基づいて物理ネイバーリストを取得するステップと、第１スモールセルに基づいてアクティビティネイバーセルを取得するステップと、物理ネイバーリストおよびアクティビティネイバーリストに基づいてＵＥをページングするステップとを含んでいる。物理ネイバーリストは、第１スモールセルと空間的に隣接するスモールセルの一部を含んでいる。アクティビティネイバーリストは、第１スモールセルと繋がるＵＥアクティビティ経路を有するスモールセルの一部を含んでいる。【選択図】図２
2016154325.tif 000002
【特許請求の範囲】
【請求項１】
ＵＥが現在登録されている第１スモールセル（Ｃ１）を特定するステップ（Ｓ１２）と、
第１スモールセル（Ｃ１）に基づいて、第１スモールセル（Ｃ１）と空間的に隣接する複数のスモールセルの一部を含む物理ネイバーリストを取得するステップ（Ｓ１４）と、
第１スモールセル（Ｃ１）に基づいて、第１スモールセル（Ｃ１）と繋がるＵＥアクティビティ経路を有する上記複数のスモールセルの一部を含むアクティビティネイバーリストを取得するステップ（Ｓ１６）と、
上記物理ネイバーリストおよび上記アクティビティネイバーリストに基づいて上記ＵＥをページングするステップ（Ｓ１８）とを含むことを特徴とする、上記複数のスモールセルを介して上記ＵＥをページングするページング方法。
【請求項２】
上記物理ネイバーリストおよび上記アクティビティネイバーリストに基づいて上記ＵＥをページングする上記ステップは、
上記ＵＥのページング回数に基づいて閾値を設定するステップ（Ｓ１８２）と、
上記閾値に基づいてページングセルリストを決定するステップ（Ｓ１８４）と、
上記ページングセルリストに基づいて上記ＵＥをページングするステップ（Ｓ１８６）とを含むことを特徴とする請求項１に記載のページング方法。
【請求項３】
上記ページング方法は、
第１スモールセル（Ｃ１）と空間的に隣接する上記複数のスモールセルの一部を検出して、上記物理ネイバーリストに登録するステップ（Ｓ３２）と、
第１スモールセル（Ｃ１）と繋がるＵＥアクティビティ経路を有する上記複数のスモールセルの一部を検出して、上記アクティビティネイバーリストに登録するステップ（Ｓ３４）とをさらに含むことを特徴とする請求項１または２に記載のページング方法。
【請求項４】
上記アクティビティネイバーリストは、各スモールセルに対応するアクティビティ値をさらに含み、上記アクティビティ値は、第１スモールセル（Ｃ１）から各スモールセルまで移動する各ＵＥアクティビティの回数を示しており、
上記ページングセルリストを決定する上記ステップは、
上記アクティビティ値の降順で上記複数のスモールセルの一部を選択して、複数のアクティビティネイバーセル候補とするステップであり、第１の和と第２の和の比は閾値以上であり、上記第１の和は、上記複数のアクティビティネイバーセル候補に対応する上記アクティビティ値の合計であって、上記第２の和は、上記アクティビティネイバーリストの全てのスモールセルに対応する上記アクティビティ値の合計であることを特徴とする請求項２に記載のページング方法。
【請求項５】
上記閾値は上記ページング回数が増加するにつれ増加し、上記ページングセルリストは、
第１スモールセル（Ｃ１）と、
上記物理ネイバーリストと、
上記複数のアクティビティネイバーセル候補とを含み、
上記アクティビティネイバーリストは、異なる時間間隔において各スモールセルに対応する上記アクティビティ値をさらに含むことを特徴とする請求項４に記載のページング方法。
【請求項６】
上記ページング方法は、
第１スモールセル（Ｃ１）と空間的に隣接する上記複数のスモールセルの一部を検出して、上記物理ネイバーリストに登録するステップ（Ｓ３２）と、
第１スモールセル（Ｃ１）と繋がるＵＥアクティビティ経路を有する上記複数のスモールセルの一部を検出して、上記アクティビティネイバーリストに登録するステップ（Ｓ３４）とをさらに含むことを特徴とする請求項４または５に記載のページング方法。
【請求項７】
上記ページング方法は、
アクティビティＵＥの登録位置が第１スモールセル（Ｃ１）から第２スモールセル（Ｃ２）に変化した時、上記アクティビティネイバーリストの第２スモールセル（Ｃ２）の上記アクティビティ値を、上記アクティビティＵＥによって開始されるセッションに基づいて決定されるウエイト値だけ増加させるステップと、
上記アクティビティネイバーリストの各スモールセルの上記アクティビティ値を減少させるステップとをさらに含むことを特徴とする請求項４〜６のいずれか１項に記載のページング方法。
【請求項８】
ＵＥが現在登録されている第１スモールセル（Ｃ１）を特定し、ページングセルリストに基づいて上記ＵＥをページングするように構成されているトランシーバー（１００）と、
複数のネイバー関係リストを記憶するように構成されているメモリユニット（１０２）と、
上記複数のネイバー関係リストから、第１スモールセル（Ｃ１）に対応する物理ネイバーリストおよびアクティビティネイバーリストを取得し、上記物理ネイバーリストおよび上記アクティビティネイバーリストに基づいて上記ページングセルリストを決定するように構成されている処理ユニット（１０４）とを備え、
上記物理ネイバーリストは、上記第１スモールセルと空間的に隣接する複数のスモールセルの一部を含み、上記アクティビティネイバーリストは、上記第１スモールセルと繋がるＵＥアクティビティ経路を有する上記複数のスモールセルの一部を含むことを特徴とする、上記複数のスモールセルを介して上記ＵＥをページングするページング装置（１０）。
【請求項９】
上記アクティビティネイバーリストは、各スモールセルに対応するアクティビティ値をさらに含み、上記アクティビティ値は、上記第１スモールセルから各スモールセルまで移動する各ＵＥアクティビティの回数を示しており、処理ユニット（１０４）は、上記ＵＥのページング回数に基づいて閾値を設定し、上記閾値に基づいて上記ページングセルリストを決定し、上記アクティビティ値の降順で上記複数のスモールセルの一部を選択して、複数のアクティビティネイバーセル候補とするように構成され、
第１の和と第２の和の比は閾値以上であり、上記第１の和は、上記複数のアクティビティネイバーセル候補に対応する上記アクティビティ値の合計であって、上記第２の和は、上記アクティビティネイバーリストの全てのスモールセルに対応する上記アクティビティ値の合計であることを特徴とする請求項８に記載のページング装置。
【請求項１０】
上記閾値は上記ページング回数が増加するにつれ増加し、上記ページングセルリストは、
上記第１スモールセルと、
上記物理ネイバーリストと、
上記複数のアクティビティネイバーセル候補とを含むことを特徴とする請求項９に記載のページング装置。
【請求項１１】
トランシーバー（１００）が、第１スモールセル（Ｃ１）から第２スモールセル（Ｃ２）にアクティビティＵＥの登録位置が変化したことを示す第１メッセージを受信した場合、処理ユニット（１０４）は、上記アクティビティネイバーリストの第２スモールセル（Ｃ２）の上記アクティビティ値を、上記アクティビティＵＥによって開始されるセッションに基づいて決定されるウエイト値だけ増加させるように構成され、
上記アクティビティネイバーリストは、異なる時間間隔における各スモールセルに対応する上記アクティビティ値をさらに含み、処理ユニット（１０４）は、上記アクティビティネイバーリストの各スモールセルの上記アクティビティ値を定期的に減少させるように構成されていることを特徴とする請求項９または１０に記載のページング装置。
【発明の詳細な説明】
【技術分野】
【０００１】
本発明はページング方法に関し、より具体的には物理ネイバーリスト、およびアクティビティネイバーリストに基づくページング方法に関する。
【背景技術】
【０００２】
移動通信技術の第３世代（３Ｇ）およびロング・ターム・エボリューション（Long Term Evolution）（ＬＴＥ）を含む無線通信技術は、人々の日常生活において広範に使用されてきた。３ＧおよびＬＴＥ環境において、スモールセルを配置することがますます重要になってきている。スモールセルとしては、例えば、マイクロセル、ピコセルおよびフェムトセルが挙げられ、これらのスモールセルは無線ネットワークの通信範囲を拡大する。例えば、フェムトセルは、ユーザ装置（ＵＥ）がフェムトセルを介してネットワークに接続されるように、屋内、または無線ネットワーク信号が容易に届かない場所に導入することができる。
【０００３】
コアネットワーク（ＣＮ）または進化したパケットコア（evolved packet core）（ＥＰＣ）がＵＥをページングする必要がある場合、上記ＣＮまたはＥＰＣは、スモールセルがＵＥのページングに試みるように、ページングメッセージをスモールセルに送る。例えば、米国に出願された先行技術文献（US 2010/0112982 A1）は、フェムトセルを用いてアクセス制御およびページングを行うシステムおよび方法を開示している。このように、多数のスモールセルが配置された無線ネットワーク環境における正確かつ効率的なページング方法に対する需要がある。
【先行技術文献】
【特許文献】
【０００４】
【特許文献１】ＵＳ  ２０１０／０１１２９８２  Ａ１
【発明の概要】
【課題を解決するための手段】
【０００５】
本開示はページング方法およびページング装置を対象としている。上記ページング方法の利点の１つは、ページングに必要とされるスモールセルの数を減らし、ページングの成功率を高めることである。
【０００６】
ある実施形態では、複数のスモールセルを介してＵＥをページングするページング方法が提供される。上記ページング方法は、上記ＵＥが現在登録されている第１スモールセルを特定するステップと、上記第１スモールセルに基づいて物理ネイバーリストを取得するステップと、上記第１スモールセルに基づいてアクティビティネイバーリストを取得するステップと、上記物理ネイバーリストおよび上記アクティビティネイバーリストに基づいて上記ＵＥをページングするステップとを含んでいる。上記物理ネイバーリストは、上記第１スモールセルと空間的に隣接するスモールセルの一部を含んでいる。上記アクティビティネイバーリストは、上記第１スモールセルと繋がるＵＥアクティビティ経路を有する上記スモールセルの一部を含んでいる。
【０００７】
他の実施形態では、複数のスモールセルを介してＵＥをページングするページング装置が提供される。上記ページング装置は、トランシーバーと、メモリユニットと、処理ユニットとを含んでいる。上記トランシーバーは、上記ＵＥが現在登録されている第１スモールセルを特定し、ページングセルリストに基づいて上記ＵＥをページングするように構成されている。上記メモリユニットは、複数のネイバー関係リストを記憶するように構成されている。上記処理ユニットは、上記ネイバー関係リストから、上記第１スモールセルに対応する物理ネイバーリストおよびアクティビティネイバーリストを取得し、上記物理ネイバーリストおよび上記アクティビティネイバーリストに基づいて上記ページングセルリストを決定するように構成されている。上記物理ネイバーリストは、上記第１スモールセルと空間的に隣接するスモールセルの一部を含んでおり、上記アクティビティネイバーリストは、上記第１スモールセルと繋がるＵＥアクティビティ経路を有する上記スモールセルの一部を含んでいる。
【０００８】
本発明の多数の目的、特徴、および利点は、添付の図面と合わせて、下記の本発明の実施形態の詳細な説明を読めば容易に明らかになるだろう。なお、本明細書で用いられている図面は説明のためのものであって、限定と見なされるべきではない。
【０００９】
本発明の上記の目的および利点は、下記の詳細な説明および添付の図面を参照することによって、当業者にとってより容易に明らかになるであろう。
【図面の簡単な説明】
【００１０】
【図１】無線ネットワーク環境にスモールセルが配置されている図である。
【図２】本発明のある実施形態に係るページング方法のフローチャートを示している。
【図３】本発明のある実施形態に係る、物理ネイバーリストおよびアクティビティネイバーリストに基づくＵＥのページングのフローチャートを示している。
【図４】本発明のある実施形態に係るネイバーリスト登録方法のフローチャートを示している。
【図５】本発明のある実施形態に係るページング装置を示している。
【発明を実施するための形態】
【００１１】
下記の詳細な説明においては、開示された実施形態の完全な理解をもたらすために、多数の特定の細部が説明のために記載されている。しかしながら、これらの特定の細部なしで１つ以上の実施形態が実施されてもよいことが明らかになるであろう。他の例においては、図を簡略化するために、公知の構造および装置は概略的に示されている。
【００１２】
図１は無線ネットワーク環境にスモールセルが配置されている図である。ＬＴＥシステム構造を例にすると、図１において２つのトラッキングエリアＴＡ１およびＴＡ２と示されている、多数のトラッキングエリア（ＴＡ）が無線ネットワーク環境に存在する。ＵＥ（例えば、図１に示すような携帯電話）が、トラッキングエリアＴＡ１からトラッキングエリアＴＡ２に移動した時、上記ＵＥは、コアネットワークがＵＥの位置を追跡できるように、コアネットワークに通知するためのメッセージを送る。
【００１３】
トラッキングエリアには、ネットワーク通信範囲を拡大するために複数のスモールセルが配置されてもよい。マイクロセル、ピコセルまたはフェムトセル等のスモールセルは、自宅、オフィス、またはその他の適切な場所に配置されてもよい。図１に示すように、４つのスモールセルＣ１〜Ｃ４がトラッキングエリアＴＡ１に配置されている。ＵＥは、トラッキングエリアＴＡ１内の異なるスモールセル間で移動してもよい。コアネットワーク内のページング装置１０がＵＥをページングする必要がある時、コアネットワークはＵＥがトラッキングエリアＴＡ１内にあることのみが分かっているため、トラッキングエリアＴＡ１内の全てのスモールセルＣ１〜Ｃ４にページングメッセージを送る。ページング装置１０は、例えば、モビリティ・マネジメント・エンティティ（Mobility Management Entity）（ＭＭＥ）である。
【００１４】
より良いネットワーク通信範囲に対する需要と、ネットワークユーザ数の増加に伴い、スモールセルの配置がより密集し、スモールセルの数が増加している。１つのトラッキングエリアの地理的区域は非常に広大になり得、例えば、トラッキングエリア内に数千個のフェムトセルが配置されることもある。ページング装置が、トラッキングエリア内の全てのスモールセルにページングメッセージを送る場合、１つのページングセッションに数千のページングメッセージが含まれることがあり得、これは、スモールセルだけではなくコアネットワークにも大きな影響を及ぼすページングストーム問題となる。したがって、ページングに必要とされるスモールセルの数を減らすためのページング方法が提供される。
【００１５】
図２は、本発明のある実施形態に係るページング方法のフローチャートを示している。上記ページング方法は、複数のスモールセルを介してＵＥをページングするために利用することができる。上記ページング方法は、以下のステップを含む。ステップＳ１２：ＵＥが現在登録されている第１スモールセルＣ１を特定するステップ。ステップＳ１４：第１スモールセルＣ１に基づいて、第１スモールセルＣ１と空間的に隣接するスモールセルの一部を含む物理ネイバーリストＮＬを取得するステップ。ステップＳ１６：第１スモールセルＣ１に基づいて、第１スモールセルＣ１と繋がるＵＥアクティビティ経路を有する上記スモールセルの一部を含むアクティビティネイバーリストＡＬを取得するステップ。ステップＳ１８：物理ネイバーリストＮＬおよびアクティビティネイバーリストＡＬに基づいて上記ＵＥをページングするステップ。
【００１６】
本実施形態におけるページング方法は、物理ネイバーリストＮＬおよびアクティビティネイバーリストＡＬを利用する。物理ネイバーリストＮＬおよびアクティビティネイバーリストＡＬの登録方法については図４を参照されたい。図４は、本発明のある実施形態に係るネイバーリスト登録方法のフローチャートを示している。上記登録方法は、第１スモールセルＣ１と、複数のスモールセルとの間の関係を登録するために利用されてもよい。上記登録方法は以下のステップを含んでいる。ステップＳ３２：第１スモールセルＣ１と空間的に隣接するスモールセルの一部を検出して、物理ネイバーリストＮＬに登録するステップ。ステップＳ３４：第１スモールセルＣ１と繋がるＵＥアクティビティ経路を有するスモールセルの一部を検出して、アクティビティネイバーリストＡＬに登録するステップ。
【００１７】
図１に示すシステム構造について言及すると、ページング装置１０は、各スモールセルに対応する物理ネイバーリストＮＬおよびアクティビティネイバーリストＡＬとを記憶することができる。例えば、ｉ番目のスモールセルＣｉは、ｉ番目の物理ネイバーリストＮＬｉおよびｉ番目のアクティビティネイバーリストＡＬｉに対応する。ステップＳ３２は、スモールセルが起動した時に実行されてもよい。例えば、第１スモールセルＣ１が起動した時、第１スモールセルＣ１は当該第１スモールセルＣ１と空間的に隣接しているセルを検出する。図１に示す例においては、空間的に隣接するセルとして、スモールセルＣ２およびＣ３を含んでいる。第１スモールセルＣ１は空間的に隣接するセルのメッセージをページング装置１０に送って、ページング装置１０が、第１スモールセルＣ１の物理ネイバーリストＮＬ１にスモールセルＣ２およびＣ３を登録できるようにしてもよい。第１スモールセルＣ１が再起動した時は常に、第１スモールセルＣ１は当該第１スモールセルに隣接するセルを再び検出し、対応するメッセージをページング装置１０に送って、第１スモールセルＣ１の物理ネイバーリストＮＬ１を更新してもよい。さらに、第１スモールセルＣ１は、起動した後、定期的に隣接するセルを検出し、それに応じてページング装置１０に報告してもよい。
【００１８】
ＵＥのアクティビティ経路は必ずしも空間的な距離に関係するわけではないため、アクティビティネイバーリストＡＬ１は、物理ネイバーリストＮＬ１の情報と異なり得る追加情報を提供してもよい。例えば、商業ビルの異なる階が、異なる会社に対応してもよい。２つの異なる会社によって配置された２つのスモールセルは、空間的に互いに近接し得る。しかしながら、異なる階に位置するこれら２つのスモールセル間にはＵＥアクティビティ経路が存在しなくてもよい。反対に、空間的に離れている２つのスモールセルが、その間にＵＥアクティビティ経路を有することがあり得る。例として、ある会社がビル内に２つの隣接しない階を所有しており、この２つの階にそれぞれ位置する２つのスモールセルはその間にＵＥアクティビティ経路を有してもよい。したがって、本開示のページング方法は、アクティビティネイバーリストＡＬを考慮の対象としている。第１スモールセルＣ１のアクティビティネイバーリストＡＬ１は、当該第１スモールセルＣ１と繋がるＵＥアクティビティ経路を有するスモールセルを登録する。
【００１９】
図２に示すように、ページングセッションを開始する時、ＵＥが現在登録されている第１スモールセルＣ１が特定される（ステップＳ１２）。ＵＥの位置は、通信構造によって、ホーム加入者サーバ（Home Subscriber Server）（ＨＳＳ）またはホームロケーションレジスタ（Home Location Register）（ＨＬＲ）等の装置Ｈに登録され得る。ＵＥがセッション要求を開始する度に、あるいは定期的な位置更新処理の間、装置ＨはＵＥの登録位置が変化したかどうかを判断する。したがって、装置Ｈは最新のＵＥの登録位置を記録する。ステップＳ１２を実行する時、ページング装置１０は、最新のＵＥの登録位置（本例では第１スモールセルＣ１である）を特定することができる。次に、ページング装置１０は、第１スモールセルＣ１の物理ネイバーリストＮＬ１を取得し（ステップＳ１４）、第１スモールセルＣ１のアクティビティネイバーリストＡＬ１を取得する（ステップＳ１６）。したがって、ページング装置１０は、第１スモールセルＣ１と空間的に隣接するセルと、第１スモールセルＣ１と繋がるＵＥアクティビティ経路を有するセルとを認識する。ページング装置１０は、第１スモールセルＣ１の物理ネイバーリストＮＬ１およびアクティビティネイバーリストＡＬ１に基づいて、ＵＥをページングすることができる（ステップＳ１８）。図２に示すページング方法は、１つのトラッキングエリアにおける全てのスモールセルをページングする場合と比較して、ページングに必要なスモールセルの数を効果的に減少させる。
【００２０】
アクティビティネイバーリストＡＬの詳細な説明を下記に示す。第１スモールセルＣ１のアクティビティネイバーリストＡＬ１は、第１スモールセルＣ１と繋がるＵＥアクティビティ経路を有するセルを含んでいる。アクティビティネイバーリストＡＬ１は、各スモールセルに対応するアクティビティ値をさらに含んでもよく、当該アクティビティ値は、第１スモールセルＣ１から各スモールセルまで移動する各ＵＥアクティビティの回数を表している。アクティビティネイバーリストＡＬ１の一例を下記表１に示す。
【００２１】
【表１】
2016154325.tif 000003
【００２２】
表１に示す例の通り、第１スモールセルＣ１はスモールセルＣ５７８への移動に関して最高のアクティビティ値を有しており、このことは、第１スモールセルＣ１からスモールセルＣ５７８へ移動するＵＥアクティビティが最も頻繁であることを意味している。第１スモールセルはスモールセルＣ３０５への移動に関して二番目に高いアクティビティ値を有している。
【００２３】
アクティビティ値を含むアクティビティネイバーリストＡＬ１の更新処理を以下に説明する。アクティビィティＵＥの登録位置が第１スモールセルＣ１から第２スモールセルＣ２（第１スモールセルＣ１および第２スモールセルＣ２は同じトラッキングエリアＴＡ１に属してもよい）に変化した時、例えば、装置ＨはこのアクティビィティによってアクティビティＵＥの登録位置が変化することを検出し、登録位置の変化を検知したというメッセージをページング装置１０に送信してもよい。ページング装置１０は、当該ページング装置１０内に記憶されたアクティビティネイバーリストＡＬ１における第２スモールセルＣ２のアクティビティ値をウエイト値だけ増加させてもよい。上記ウエイト値は、例えば、１に等しい。つまり、登録位置がある特定のスモールセルに変化する度に、対応するスモールセルのアクティビティ値が１増加する。また、アクティビティＵＥによって開始されるセッションに基づいてウエイト値が決定されてもよい。例えば、音声通信セッションには大きなウエイト値が割り当てられ、定期的な位置更新処理には小さなウエイト値が割り当てられてもよい。あるいは、異なるユーザには異なるウエイト値が割り当てられてもよい。ウエイト値を適切に調整することによって、ＵＥの位置を予測する成功率をさらに向上させることができる。
【００２４】
アクティビティＵＥの登録位置が第１スモールセルＣ１から第２スモールセルＣ２に変化した時、アクティビティ値が更新されるため、アクティビティネイバーリストＡＬ１に記憶された指向情報は、ＵＥアクティビティが第１スモールセルＣ１から始まったことを示している。第２スモールセルＣ２から始まったＵＥアクティビティは、第２スモールセルＣ２に対応するアクティビティネイバーリストＡＬ２に記憶される。ＵＥアクティビティの指向情報をアクティビティネイバーリストＡＬに記憶することによって、実際のＵＥアクティビティをより正確に記憶することができる。
【００２５】
ある実施形態においては、アクティビティネイバーリストＡＬ１は、異なる時間間隔における各スモールセルに対応するアクティビティ値をさらに含んでもよい。例えば、午前７時から午後７時までの時間間隔を、朝と、昼と、夜とに分けてもよい。異なる間隔におけるアクティビティ値を含むアクティビティネイバーリストＡＬ１の一例を下記表２に示す。
【００２６】
【表２】
2016154325.tif 000004
【００２７】
表２に示す例の通り、アクティビティネイバーリストＡＬ１を登録する時、検出されたＵＥアクティビティは、現在の時間間隔に対応するアクティビティ値に追加される。ページングメッセージを送る時、アクティビティネイバーリストＡＬ１内のアクティビティ値は、ページングセッションが開始される時間間隔に基づいて選択されてもよい。これにより、スモールセル間のアクティビティの特徴をより正確に捉えることができる。例えば、朝と夜間は、通勤経路に沿って高アクティビティ値となり、昼間と夜間は、食事場所で高アクティビティ値となり得る。
【００２８】
アクティビティネイバーリストＡＬにおいて、アクティビティ値の減少方法を考案してもよい。例えば、減少値を引いたり、減少率を掛けたりして、アクティビティ値を定期的に減少させてもよい。この減少方法は、アクティビティネイバーリストＡＬのアクティビティ値が無限に増加するのを防ぐためのものである。この減少は、例えば、毎日または毎週行われてもよい。減少期間は固定値でなくてもよい。また、減少値（または減少率）は、一定の値である必要はない。ある実施形態においては、減少値（または減少率）は、減少期間の長さに応じて、動的に調整されてもよい。
【００２９】
ステップＳ１８（物理ネイバーリストＮＬおよびアクティビティネイバーリストＡＬに基づいてＵＥのページングを行うステップ）の詳細な説明を下記に記す。図３は、本発明のある実施形態に係る物理ネイバーリストおよびアクティビティネイバーリストに基づくＵＥのページングのフローチャートを示している。ステップＳ１８は以下のステップを含んでいる。ステップＳ１８２：ＵＥのページング回数ｎに基づく閾値Ｔｈを設定するステップ。ステップＳ１８４：閾値Ｔｈに基づくページングセルリストＰＬを決定するステップ。ステップＳ１８６：ページングセルリストＰＬに基づいてＵＥをページングするステップ。
【００３０】
１つのトラッキングエリアにおける全てのスモールセルをページングする場合と比較して、本明細書で開示されたページング方法は、複数の段階に分けてもよい。例えば、ページング装置１０は、ＵＥを３回ページングするように設定されてもよい。ページングの試み毎に異なる閾値Ｔｈが設定されてもよい。より大きな閾値Ｔｈは、より多くのスモールセルがページングされ、そのためページングの成功率がより高くなることを意味している。反対に、より小さな閾値Ｔｈは、より少ないスモールセルがページングされ、ページングで使われるリソースがより少ないことを意味している。
【００３１】
ページングの試み毎にページングセルリストＰＬを決定するステップは以下のステップを含んでもよい。アクティビティ値の降順でスモールセルの一部を選択して、複数のアクティビティネイバーセル候補とし、第１の和と第２の和の比が閾値以上になるようにするステップ。第１の和は、アクティビティネイバーセル候補に対応するアクティビティ値の合計である。第２の和は、アクティビティネイバーリストＡＬの全スモールセルに対応するアクティビティ値の合計である。つまり、アクティビティネイバーセル候補は、最高のアクティビティ値を有するスモールセルから始めて、アクティビティネイバーセル候補のアクティビティ値の合計が特定の値以上になるまで、アクティビティネイバーセル候補にスモールセルを１つずつ追加することによって構成されてもよい。
【００３２】
第１のページングの試み（ページング回数ｎ＝１）を例に挙げると、より少ない数のスモールセルを介してＵＥのページングを成功させることを目的としている。閾値Ｔｈは７０％に設定されてもよい。閾値Ｔｈはページングの成功率にほぼ比例する。表１を参照すると、各スモールセルのアクティビティ値の合計は２０８２７である。最高アクティビティ値を有するスモールセル（スモールセルＣ５７８）から始めて、アクティビティネイバーセル候補はスモールセルＣ５７８およびＣ３０５（（９１５０＋６４７２）／２０８２７≧７０％）を含んでもよい。
【００３３】
第１のページングの試みにおけるページングセルリストＰＬは、第１スモールセルＣ１、物理ネイバーリストＮＬ１、アクティビティネイバーセル候補（スモールセルＣ５７８およびＣ３０５）を含んでもよい。つまり、ページング装置１０は、ＵＥが直近に登録されたスモールセルを介したＵＥのページング、ＵＥが直近に登録されたスモールセルに近接する全てのセルを介したＵＥのページング、そしてＵＥが７０％の確率で移動する移動先のスモールセルを介したＵＥののページングを試みる。本明細書に開示されているページング方法は、ページングに必要なスモールセルの数を減らすだけではなく、ある程度の成功率を保証する。
【００３４】
第１のページングの試みが成功した場合、つまり、ＵＥからのページング応答の受信が成功した場合、ページング動作が完了する。第１のページングの試みが失敗した場合、つまり、ＵＥからのページング応答が特定の期間内に受信されなかった場合、第２のページングの試み（ｎ＝２）が行われる。第２のページングの試みは、より多くのスモールセルを用いた、より高い成功率を目指しているため、閾値Ｔｈは、例えば、９０％に増加してもよい。表１のアクティビティネイバーリストＡＬ１を例に挙げると、閾値Ｔｈが９０％に設定された場合、アクティビティネイバーセル候補は、スモールセルＣ５７８、Ｃ３０５、およびＣ６９７（（９１５０＋６４７２＋３４４１）／２０８２７≧９０％）を含む。実行にあたっては、第２のページングの試みは、第１のページングの試みと比較して追加されたスモールセルにのみページングメッセージを送ってもよい。上記の例においては、第１のページングの試みにおけるページング対象は、スモールセルＣ５７８とＣ３０５とを含み、第２のページングの試みのページング対象は、スモールセルＣ６９７である。
【００３５】
第２のページングの試みも失敗した場合、第３のページングの試み（ｎ＝３）が、トラッキングエリア内の全てのスモールセルをページングしてもよい。ページングの試み毎に閾値Ｔｈを徐々に増加させることによって、ページングの成功率を特定の値に維持しながら、第１のページングの試みにおけるページングに必要なスモールセルの数を効果的に減少させる。その前のページングの試みが失敗した場合、ページングされるスモールセルの数を徐々に増加させてもよい。ページングの試み毎に許容される最大のページング回数ｎおよび最大の閾値Ｔｈは特定の値に限定されず、使用環境に応じて決定されてもよい。
【００３６】
表２に示すような異なる時間間隔に対応するアクティビティ値を利用して、アクティビティネイバーセル候補を決定してもよい。例えば、夜間にページングする場合、表２の最も右側の列のアクティビティ値を用いることができる。閾値Ｔｈおよび対応するアクティビティネイバーセル候補に関する計算処理は、上記の説明に類似するためここでは繰り返さない。
【００３７】
本明細書に開示されているページング方法およびネイバーリスト登録方法によると、空間的に隣接しているスモールセルを登録する物理ネイバーリストＮＬと、アクティビティ経路を有するスモールセルを登録するアクティビティネイバーリストＡＬとを保持することができる。物理ネイバーリストＮＬおよびアクティビティネイバーリストＡＬに基づいてページング処理を行い、ＵＥが存在する可能性が最も高いスモールセルを選択してもよい。それによって、ページングする必要のあるスモールセルの数を減らし、スモールセルが密集して配置されている環境におけるページングストーム問題が防止される。
【００３８】
さらに、アクティビティ値の統計に基づいて、ページングの成功率を予測することができ、ページングセルを効果的に選択するために、どのスモールセルが高アクティビティ値を有するかについての情報を得ることもできる。アクティビティ値の統計は、現在の時間間隔に基づいてＵＥアクティビティをより正確に予測できるように、時間情報も含んでもよい。
【００３９】
本発明ではページング装置も提供される。図５は、本発明のある実施形態に係るページング装置を示している。ページング装置１０は、トランシーバー１００と、メモリユニット１０２と、処理ユニット１０４とを含んでいる。ページング装置１０は、複数のスモールセルを介してＵＥをページングしてもよい。トランシーバー１００は、ＵＥが現在登録されている第１スモールセルＣ１を特定し、ページングセルリストＰＬに基づいてＵＥをページングするように構成されている。メモリユニット１０２は、複数のネイバー関係リストを記憶するように構成されている。処理ユニット１０４は、ネイバー関係リストから、第１スモールセルＣ１に対応する物理ネイバーリストＰＬおよびアクティビティネイバーリストＡＬを取得し、物理ネイバーリストＮＬおよびアクティビティネイバーリストＡＬに基づいて、ページングセルリストＰＬを決定するように構成されている。物理ネイバーリストＮＬは、第１スモールセルＣ１と空間的に隣接しているスモールセルの一部を含み、アクティビティネイバーリストＡＬは、第１スモールセルＣ１と繋がるＵＥアクティビティ経路を有するスモールセルの一部を含んでいる。ページング装置１０は、コアネットワークに位置し、ＵＥに送られるページングセッションを制御するための装置であってもよい。
【００４０】
トランシーバー１００は、例えば、無線信号を送信および受信するための無線周波数（ＲＦ）回路およびアンテナを含んでもよい。他の例としては、トランシーバー１００は、物理的なコネクターおよびケーブルを介して、データを送信および受信する送信機および受信機を含んでもよい。メモリユニット１０２は、メモリまたはハードディスクのような、データを読み出したり、書き込んだりすることができる記憶装置であってもよい。メモリユニット１０２は、各スモールセルに対応する物理ネイバーリストＮＬおよびアクティビティネイバーリストＡＬとを記憶してもよい。
【００４１】
処理ユニット１０４は、マイクロプロセッサー、マイクロコントローラー、または関連する制御および動作を実行可能な類似の回路であってもよい。ある実施形態においては、処理ユニット１０４は、図４に示すネイバーリスト登録方法を実行してもよい。例えば、トランシーバー１００が、アクティビティＵＥの登録位置が第１スモールセルＣ１から第２スモールセルＣ２に変化したことを示す第１メッセージを装置Ｈから受信した場合、処理ユニット１０４は、第１スモールセルＣ１のアクティビティネイバーリストＡＬ１における第２スモールセルＣ２のアクティビティ値をウエイト値だけ増加させるように構成されており、上記ウエイト値は、アクティビティＵＥによって開始されるセッションに基づいて決定される。次に、処理ユニット１４０は、更新されたアクティビティネイバーリストＡＬ１をメモリユニット１０２に書き込む。第１スモールセルＣ１と空間的に隣接するスモールセルの一部を更新することを示す第２メッセージを、第１スモールセルＣ１からトランシーバー１００が受信した場合、処理ユニット１０４は、第１スモールセルＣ１の物理ネイバーリストＮＬ１を更新し、更新された物理ネイバーリストＮＬ１をメモリユニット１０２に書き込むように構成されている。
【００４２】
さらに、処理ユニット１０４は、図２および図３に示すページング方法を実行してもよい。例えば、処理ユニット１０４は、ＵＥのページング回数ｎに基づいて閾値Ｔｈを設定し、閾値ＴｈおよびアクティビティネイバーリストＡＬ１に登録されているアクティビティ値に基づいてページングセルリストＰＬを決定するように構成されている。処理ユニット１０４によって実行されるネイバーリスト登録方法およびページング方法は、上述の実施形態で説明しているためここでは繰り返さない。
【００４３】
本発明は、現在、最も実用的で最も好ましい実施形態と考えられる実施形態について説明したが、本発明はこの開示された実施形態に限定される必要はないことが理解されるべきである。むしろ、最も広く解釈されるべきである添付の請求項の精神および範囲に含まれる種々の変形および類似の形態が本発明に含まれ、そのような全ての変形および類似の構造が包含されることを意図している。
【図１】
2016154325.tif 000005
【図２】
2016154325.tif 000006
【図３】
2016154325.tif 000007
【図４】
2016154325.tif 000008
【図５】
2016154325.tif 000009
【外国語明細書】
2016154325000001.pdf